(57)【要約】【課題】  容器本体と蓋との嵌合性にも優れた有底の紙製縁枠を使用した加工食品用簡易容器を提供すること。【解決手段】  外側面にテーパーを設けた紙製縁枠１の上縁周縁は内側に向かって傾斜した係止突起１１が設けられ、加工食品を収納した紙製縁枠１からなる容器本体を覆う透明なプラスチック製の蓋材２の側部下方には、紙製縁枠１内への挿入部２２が形成されており、その下端には外方に向けて、上記紙製縁枠１の係止突起１１と当接係止する突起２１が形成されている。蓋材２の下面外周に形成した係止突起２１が、紙製縁枠１の係止突起１１の下面に入り、相互の弾力によって、紙製縁枠１の係止突起１１の下面が、蓋材２の係止突起２１の上面と当接係止し、紙製縁枠１と蓋材２は離脱可能に結合する。【選択図】  図２
2010155625.tif 000002
【特許請求の範囲】
【請求項１】
外側面にテーパーを設けた有底の紙製縁枠からなる容器本体にプラスチック製の蓋材を被せる食品用簡易容器であって、
前記紙製縁枠には、上縁周縁を内側に折り曲げて係止突起が設けられ、且つ、前記蓋材の下面外周には前記紙製縁枠の係止突起と当接する係止突起が設けられており、
前記紙製縁枠の上方から前記蓋材を押し付けることによって、蓋材の下面外周に形成した係止突起の上面を、前記紙製縁枠の上縁内側周縁の係止突起の下面と当接係止した食品用簡易容器。
【請求項２】
有底の紙製縁枠の内側にプラスチック製の内容器を取り付けた容器本体にプラスチック製の蓋材を被せる食品用簡易容器であって、
前記紙製縁枠には、上縁周縁を内側に折り曲げて係止突起が設けられ、前記内容器の上部外縁には前記紙製縁枠を係止する突起が設けられており、且つ、前記蓋材の下面外周には前記紙製縁枠の係止突起と当接する係止突起が設けられており、
前記紙製縁枠の上方から前記内容器を押し付けることによって、内容器の上部外縁に形成した係止突起の上面を、前記紙製縁枠の上縁内側周縁の係止突起の下面と当接係止して容器本体を形成し、
さらに、
前記容器本体の上方から前記蓋材を押し付けることによって、蓋材の下面外周に形成した係止突起の上面を、前記紙製縁枠の上縁内側周縁の係止突起の下面と当接係止した食品用簡易容器。
【請求項３】
紙製縁枠の上方から複数個の前記内容器を押し付けることによって複数個の内容器を有する容器本体を形成した請求項２に記載の食品用簡易容器。
【発明の詳細な説明】
【技術分野】
【０００１】
この発明は、加工食品を収納し持ち帰るための紙製の縁枠を有する食品用簡易容器に関する。
【背景技術】
【０００２】
本願の出願人は、従来から使用されてきた縁枠も内容器もプラスチックからなる食品用簡易容器の原材料が、石油という限りある資源であり、その資源をできるだけ長く使用するために、プラスチックの使用を最小にした簡易容器として、先に下記特許文献１において開示した。この簡易容器は、紙シートを折り曲げて縁枠とし、薄いプラスチック製の底材の周縁をこの縁枠に係止したものである。
【０００３】
さらに、本願の出願人は、係る紙シートを折り曲げた縁枠とプラスチック製の内容器とからなる加工食品容器の組立を簡便化し、且つ、確実にするために、紙製の縁枠の内側上部周面に端縁を形成し、プラスチック製の内容器の外周面に形成した突出をこの紙製の縁枠の内側周面に形成した端縁の下端に係止できるようにした構造を下記特許文献２において開示した。
【特許文献１】特開平１１−３３４７２０号
【特許文献２】特許第３９６５２７８号
【発明の開示】
【発明が解決しようとする課題】
【０００４】
前記特許文献２に記載の紙製の縁枠とプラスチック製の内容器とからなる食品用簡易容器の蓋材としては、紙製の縁枠の上部の一端縁を延長して縁枠と一体化した構造のものが開示されている。
【０００５】
そのため、その食品用簡易容器は、縁枠用の紙シートの形状を特殊な形状としているために、容器本体への被蓋に手間を要し、また、蓋の取り付け状態も不完全であるために容器全体をゴム輪による緊締が必要になったり、蓋そのものが紙製であるために、不透明で収納物が確認できない等の問題がある。
【０００６】
また、紙製容器本体にプラスチック製蓋を被せる試みもされているが、この場合には、プラスチック製蓋は紙製容器に嵌合するのは難しいため、蓋がはずれないようにするためには、粘着テープでとめる等の余分な手段を必要としていた。
【０００７】
この発明の課題は、有底の紙製縁枠を使用した容器において、作成上も手間が省け、容器本体への被蓋作業も簡単にでき、さらには、容器本体と蓋との嵌合性にも優れた加工食品用簡易容器を提供することにある。
【課題を解決するための手段】
【０００８】
この発明は、外側面にテーパーを設けた有底の紙製縁枠と薄いプラスチックからなる蓋材のそれぞれに重なり合って当接し合う係止片を設け、紙製縁枠の上方から蓋材を被せることによって、係止片が有するそれぞれの弾力によって、蓋材の係止片を紙製縁枠の係止片の下側に入り込ませて、蓋材と紙製縁枠とを取り外し可能に接合するものである。
【０００９】
この発明は、紙製縁枠と蓋との間を充分な密着状態で接合しているため、内容器を有する簡易容器や、紙製縁枠そのものを容器としたものに対しても充分に適用できる。
【発明の効果】
【００１０】
この発明によって、紙製縁枠そのもの、または、紙製縁枠と薄い一体成形体からなるプラスチック製の内容器とからなる容器本体に、同じく薄いプラスチック製の蓋材を安全、確実、簡単に被せることができ、且つ、収納食品の取り出しに際しての除蓋も簡単に行うことができる。
【００１１】
したがって、内容器を有する紙製縁枠、または、防水加工を施した紙製縁枠そのものを容器本体として使用することによって、収納食材が水分を含んだ加工食品であっても、食材からの容器外への漏水をもたらすことなく安全に収納でき持ち運びできる。
【００１２】
加工食品を収納した後、蓋材を簡単、確実に容器本体に装着できるので、全体をプラスチック材によって作成した従前の食品用簡易容器と同等の便利さを得ることができる。
【発明を実施するための最良の形態】
【００１３】
本発明の実施の形態を添付図に示す実施例によって説明する。
【００１４】
実施例１
この実施例は、図１に示すように、紙製縁枠１を容器本体とし、これに、透明のプラスチック製蓋材２を装着した簡易容器１０である。  
図２は、図１に示す簡易容器１０の構成部材を断面によって示す。同図において、外側面にテーパーを設けた紙製縁枠１の上縁周縁は内側に向かって傾斜した係止突起１１が設けられている。この例の場合、紙製縁枠１の内面に防水加工を施すことによって、それ自体が水漏れのない容器本体を形成し、この容器本体に加工食品を収納する。
【００１５】
加工食品を収納した紙製縁枠１からなる容器本体を覆う透明なプラスチック製の蓋材２の側部下方には、紙製縁枠１内への挿入部２２が形成されており、その下端には外方に向けて、上記紙製縁枠１の係止突起１１と当接係止する突起２１が形成されている。
【００１６】
そして、縁枠１の係止突起１１と蓋材２の係止突起２１は、図３に示すように、蓋材２を紙製縁枠１の上方から押し付けることによって、図４に示すように、蓋材２の下面外周に形成した係止突起２１が、紙製縁枠１の係止突起１１の下面に入り、相互の弾力によって、紙製縁枠１の係止突起１１の下面が、蓋材２の係止突起２１の上面と当接係止し、紙製縁枠１と蓋材２は離脱可能に結合する。
【００１７】
実施例２
この実施例は、図５に示すように、紙製縁枠１に薄いプラスチックからなる内容器３を取り付けた容器本体に蓋材２を被せた簡易容器２０である。
【００１８】
図６はこの簡易容器２０の構成部材の外観を示し、図７はこれらの部材を断面によって示す図である。
【００１９】
図７に示すように、紙製縁枠１には、実施例１の場合と同様に、紙製縁枠１の上縁周縁には内側に向かって傾斜した係止突起１１が設けられ、また、容器本体を覆う蓋材２の側部下方には、紙製縁枠１内への挿入部２２が形成されており、その下端には外方に向けて、上記紙製縁枠１の係止突起１１と当接係止する突起２１が設けられている。
【００２０】
この実施例が第１の実施例と異なるところは、紙製縁枠１に内容器３が装着されて容器本体を形成している点にあるが、これの装着構造は、基本的には先に挙げた特許文献２に記載の構造と同様である。すなわち、図７において、内容器３の上部には外側周縁３２が形成され、さらにその下端に外方に向かって係止突起３１が設けられている。そして、図８に示すように、紙製縁枠１の上方から、この内容器３を紙製縁枠１内に押し込むことによって、図９と図１０に示すように、内容器３の係止突起３１は紙製縁枠１の係止突起１１の下面に挿入されて、内容器３は紙製縁枠１と結合される。
【００２１】
そして、このように内容器３と縁枠１とを結合した容器本体への蓋材２の着蓋は、図８に示すように、蓋材２を容器本体に上方から押し込んで行う。
【００２２】
図１１はその着蓋の状況を示す。同図に示すように、縁枠１の係止突起１１は、その下に内容器３の係止突起３１を当接した状態のまま、蓋材２の係止突起２１によって押し付けられる。そして、図１２に示すように、蓋材２の係止突起２１は、先に縁枠１の係止突起１１の下面に挿入された内容器３の係止突起３１の上面と縁枠１の係止突起１１の下面に挿入され、蓋材２は除蓋可能に容器本体に着蓋する。
【００２３】
実施例３
図１３と図１４は、複数の内容器を紙製縁枠１に取り付けて、蓋材２を取り付け可能にした本発明の容器３０，４０を示す。
【図面の簡単な説明】
【００２４】
【図１】紙製縁枠を容器本体とし、これに、プラスチック製蓋材を装着したこの発明の第１の実施例に係る簡易容器の外観を示す。
【図２】図１に示す簡易容器の構成部材を断面によって示す。
【図３】紙製縁枠と蓋材との係止突起の作動状態を示す。
【図４】紙製縁枠と蓋材との係止突起の係止状態を示す。
【図５】紙製縁枠に内容器を取り付けた容器本体に適用した例を示す。
【図６】図５の容器の構成部材を示す。
【図７】図６の部材を断面によって示す。
【図８】内容器を紙製縁枠に取り付けた状態を示す。
【図９】紙製縁枠と内容器との係止突起の作動状態を示す。
【図１０】紙製縁枠と内容器との係止突起の係止状態を示す。
【図１１】紙製縁枠と内容器と蓋材との係止突起の作動状態を示す。
【図１２】紙製縁枠と内容器と蓋材との係止突起の係止状態を示す。
【図１３】２個の内容器を紙製縁枠取り付けた実施例を示す。
【図１４】４個の内容器を紙製縁枠取り付けた実施例を示す。
【符号の説明】
【００２５】
紙製縁枠１  縁枠の係止突起１１  
蓋材２      蓋材の係止突起２１  挿入部２２
内容器３    内容器の係止突起３１  外側周縁３２
簡易容器１０、２０、３０，４０
【図１】
2010155625.tif 000003
【図２】
2010155625.tif 000004
【図３】
2010155625.tif 000005
【図４】
2010155625.tif 000006
【図５】
2010155625.tif 000007
【図６】
2010155625.tif 000008
【図７】
2010155625.tif 000009
【図８】
2010155625.tif 000010
【図９】
2010155625.tif 000011
【図１０】
2010155625.tif 000012
【図１１】
2010155625.tif 000013
【図１２】
2010155625.tif 000014
【図１３】
2010155625.tif 000015
【図１４】
2010155625.tif 000016